(57)【要約】【課題】電池消耗により遮断能力がない状態でのガス流路の復帰（開栓）をなくし、ガス遮断装置交換までの間のガス使用を防止して、安全性を高めることを目的とする。【解決手段】電池４の電圧が遮断弁３を駆動するのに十分であるかを、電圧検出部８が測定し、その電圧が予め定められた電圧以下であれば、電圧検出部８が遮断弁３に遮断信号ａを送り、さらに復帰ロック部７に復帰不可信号ｂを送る。遮断信号ａを受け取った遮断弁３はがす流路２を遮断し、復帰不可信号ｂを受け取った復帰ロック部７はシャッターを閉め、復帰部５に外力を加えられないようにする。【選択図】図１
2007139285.tif 000002
【特許請求の範囲】
【請求項１】
ガス流路内に設けられた遮断弁と、前記遮断弁の閉成駆動用電源である電池と、閉止した前記遮断弁を復帰させる復帰部と、前記遮断弁が復帰したことを検知する復帰検知部と、前記復帰部をロックさせ、復帰を防止する機構を有した復帰ロック部と、前記電池の電圧を検出し、検出時の電圧が予め定められた値以下であると、前記遮断弁に遮断信号を出力し、さらに前記復帰ロック部に復帰不可信号を出力する電圧検出部とを具備したガス遮断装置。
【請求項２】
電圧検出部からの電圧低下検出信号を集中監視センタへ転送する通信部を有する請求項１に記載のガス遮断装置。
【発明の詳細な説明】
【技術分野】
【０００１】
本発明は、ガスメータ以後のガス使用上の安全を向上したガス遮断装置に関するものである。
【背景技術】
【０００２】
従来のガス遮断装置において、遮断弁を動作させるための電源として電池が使用されており、この遮断弁を駆動できる電圧を電池が有していることを検出する機能と、電池が遮断弁を駆動できる電圧以下となり、遮断弁を駆動しガス流路閉栓後のガス使用について、電池電圧低下以後でも一定期間ガスを使用することが出来る構成となっていた。
【０００３】
図３は、前記従来のガス遮断装置を示し、すなわち、所定の動作保証時間内のガス遮断装置５１の電源となる電池５２の電圧を検出して電圧低下信号ｄを出力する電圧低下検出部５３と、前記電圧低下信号ｄが入力されたときから遮断弁５４の開栓受け付けを行って、開栓要求（開栓要求スイッチまたは通信による開栓信号の入力による）があったときに開栓要求信号ｅを出力する開栓受付部５５と、前記電圧低下信号ｄが入力されたときから所定の動作保証時間をカウントして開栓終了信号ｆを出力するタイマー部５６と、前記開栓終了信号ｆが入力されたときに前記開栓要求信号ｅによる開栓を停止する閉栓停止信号ｇを出力する開栓機能停止部５７と、前記電圧低下信号ｄまたは前記閉栓停止信号ｇが入力されたとき遮断弁５４を閉栓動作させ、前記閉栓停止信号ｇの入力以前に前記開栓要求信号ｅが入力されたときに遮断弁５４を開栓させるガス遮断制御部５８とを具備している（例えば特許文献１参照）。
【特許文献１】特開平１０−１０３５４６号公報
【発明の開示】
【発明が解決しようとする課題】
【０００４】
しかし、従来のガス遮断装置の構成では、電池電圧低下による遮断弁５４の閉栓後に開栓する場合、遮断弁５４を再遮断する電圧を電池が有しているとは限らず、遮断能力がない状態でガスが使用できるという課題を有していた。
【０００５】
本発明は、上記従来の問題点を解決したもので、電池電圧が低下し遮断弁駆動可能電圧以下となる前に遮断弁を閉栓、さらに遮断弁を開栓することを妨げる機構を設けることにより、電池消耗により遮断能力がない状態でガス流路を復帰（開栓）を妨げ、ガス遮断装置交換までの間のガス使用を防ぐことを目的とする。
【課題を解決するための手段】
【０００６】
本発明のガス遮断装置は、ガス流路内に設けられた遮断弁と、前記遮断弁の閉成駆動用電源である電池と、閉止した前記遮断弁を復帰させる復帰部と、前記遮断弁が復帰したことを検知する復帰検知部と、前記復帰部をロックさせ、復帰を防止する機構を有した復帰ロック部と、前記電池の電圧を検出し、検出時の電圧が予め定められた値以下であると、前記遮断弁に遮断信号を出力し、さらに前記復帰ロック部に復帰不可信号を出力する電圧検出部とを具備したもので、電池消耗により遮断能力がない状態でガス流路を復帰（開栓）をなくし、ガス遮断装置交換までの間のガス使用を防ぐことができる。
【発明の効果】
【０００７】
本発明のガス遮断装置は、電池電圧が低下し遮断弁駆動可能電圧以下となる前に遮断弁を閉栓、さらに遮断弁を開栓することを妨げる機構を設けることにより、電池消耗により遮断能力がない状態でガス流路を復帰（開栓）を妨げ、ガス遮断装置交換までの間のガス
使用を防ぐことを目的とする。
【発明を実施するための最良の形態】
【０００８】
第１の発明は、ガス流路内に設けられた遮断弁と、前記遮断弁の閉成駆動用電源である電池と、閉止した前記遮断弁を復帰させる復帰部と、前記遮断弁が復帰したことを検知する復帰検知部と、前記復帰部をロックさせ、復帰を防止する機構を有した復帰ロック部と、前記電池の電圧を検出し、検出時の電圧が予め定められた値以下であると、前記遮断弁に遮断信号を出力し、さらに前記復帰ロック部に復帰不可信号を出力する電圧検出部とを具備したもので、電池電圧が低下し遮断弁駆動可能電圧以下となる前に遮断弁を閉栓、さらに遮断弁を開栓することを防ぐ機構を設けることにより、電池消耗により遮断能力がない状態でガス流路を復帰（開栓）をなくし、ガス遮断装置交換までの間のガス使用を防ぐこができる。
【０００９】
第２の発明は第１の発明に電圧低下信号を集中監視センタへ転送する通信部を有したものである。
【００１０】
上記構成によれば、電池の電圧が低下したことを集中監視センタに知らせることにより、電池電圧低下後速やかに現場に向かうことができる。
【００１１】
以下、本発明の実施の形態におけるガス遮断装置について図面を参照しながら説明する。なお、この実施の形態によって本発明が限定されるものではない。
【００１２】
（実施の形態１）
図１、２において、ガス遮断装置１は、ガス流路２内に設けられた遮断弁３と、流路２を閉止する遮断弁３を駆動させる電源となる電池４と、遮断した遮断弁３を復帰させる復帰部５と、遮断弁３が復帰したことを検知する復帰検知部６と、復帰部５をロックさせ、復帰を妨げる機構を有した復帰ロック部７と、電池４の電圧を検出し、検出時の電圧が予め定められた値以下であると、遮断弁３に遮断信号ａを出力し、さらに復帰ロック部７に復帰不可信号ｂを出力する電圧検出部８とで構成されている。
【００１３】
遮断弁３は自己保持型に構成されており、無通電状態でも永久磁石９の磁力による吸着保持力が得られるようになっていて、復帰部５に外力を加えて弁本体１０を押し込むことでその開成状態が吸着、保持される。
【００１４】
また、ガス流路２の遮断（閉栓）は永久磁石９の磁力を打ち消すように、吸引動作の逆極性の電流をコイル１１に加えて吸着保持力を小さくし、スプリング１２の戻し力により弁本体１０を閉成することができる。
【００１５】
復帰ロック部７は復帰部５の外力を加える箇所に設けられ、復帰不可信号ｂを受け取ると、外力を妨害するシャッター１３を閉め、その後は復帰部５に外力が加えられない構造にしてある。
【００１６】
本実施の形態は、電池４の電圧が遮断弁３を駆動するのに十分であるかを、電圧検出部８が測定し、電池４の電圧が予め定められた電圧以下であれば、その電圧検出部８が遮断弁３に遮断信号ａを送り、さらに復帰ロック部７に復帰不可信号ｂを送る。
【００１７】
遮断信号ａを受け取った遮断弁３はガス流路２を遮断（閉栓）し、復帰不可信号ｂを受け取った復帰ロック部７はシャッター１３を閉め復帰部５に外力を加えられないようにする。
【００１８】
電池４の電圧が低下し、遮断弁３駆動可能電圧以下となる前に遮断弁３を閉栓、さらに遮断弁３を開栓することを妨げる機構を設けることにより、電池４消耗により遮断能力がない状態でガス流路２の開栓を防止し、ガス遮断装置交換までの間のガス使用を防ぐ。
【００１９】
なお、本実施の形態１では、遮断信号ａを集中監視センタへ転送する通信部１４を有している。
【００２０】
したがって、電池４の電圧が低下したことを電池電圧低下直後に通信部１４から集中監視センタに知らせることにより、速やかに現場へ確認に向かうことができる。
【産業上の利用可能性】
【００２１】
本発明にかかるガス遮断装置は、電池電圧が低下し遮断弁駆動可能電圧以下となる前に遮断弁を閉栓、さらに遮断弁を開栓することを妨げる機構を設けることにより、電池消耗により遮断能力がない状態でガス流路を復帰（開栓）を妨げ、ガス遮断装置交換までの間のガス使用を防ぐもので、ガス以外のあらゆる流体機器への適用が可能である。
【図面の簡単な説明】
【００２２】
【図１】本発明の実施の形態１におけるガス遮断装置の構成図
【図２】同ガス流路の構成図
【図３】従来のガス遮断装置の構成図
【符号の説明】
【００２３】
２  ガス流路
３  遮断弁
４  電池
５  復帰部
６  復帰検知部
７  復帰ロック部
８  電圧検出部
１４  通信部
【図１】
2007139285.tif 000003
【図２】
2007139285.tif 000004
【図３】
2007139285.tif 000005